(57)【要約】【課題】多点同時入力を可能とする導光板を用いた場合であって、同じ座標位置に複数の接触点があっても、それぞれの接触点の入力位置を精度良く検出すること。【解決手段】制御手段としての制御部５ｅにより、受光手段としての受光素子４によって散乱光が受光されたときの座標と、その受光素子４の受光時にたとえば点灯走査させた発光手段としての発光素子３の座標とから、接触物である指先１０等のによるタッチエリア２ａへの入力位置が特定され、さらに一座標及び／又は他座標の同一座標上に指先１０等による複数の接触点があるとき、いずれかの接触点と発光素子３又は受光素子４との間に他の接触点がある場合はそのいずれかの接触点に対応する受光素子４の散乱光を受光する際のしきい値が低くなるように制御されるようにした。【選択図】図１
2009271847.tif 000002
【特許請求の範囲】
【請求項１】
接触物によっての入力位置を示す位置データを入力する位置入力装置であって、
一面側にタッチエリアを有し、該タッチエリアへの接触に応じて散乱光を発生させる導光板と、
一座標を判別するために、前記導光板の一座標方向又は前記導光板の前記タッチエリアとは反対の面側の前記タッチエリアに対応する領域全体に設けられ、該導光板内に光を入射する発光手段と、
他座標を判別するために、前記導光板の一辺に沿って設けられ、前記接触物による前記タッチエリアへの接触による接触点の接触位置下での散乱光を受光する受光手段と、
前記発光手段を部分的に点灯させる点灯走査又は部分的に非点灯させる非点灯走査を行う制御手段とを備え、
前記制御手段は、前記受光手段によって前記散乱光が受光されたときの座標と、該受光手段の受光時に前記点灯走査又は非点灯走査させたときの前記発光手段の座標とから、前記接触物による前記タッチエリアへの入力位置を特定し、さらに前記一座標及び／又は前記他座標の同一座標上に前記接触物による複数の前記接触点がある場合であって、いずれかの前記接触点と前記発光手段又は前記受光手段との間に他の前記接触点があるとき、前記点灯走査又は前記非点灯走査の方向に応じていずれかの接触点に対応する前記受光手段の前記散乱光を受光する際のしきい値を変更するように制御する
ことを特徴とする位置入力装置。
【請求項２】
前記制御手段は、前記いずれかの接触点に対応する前記受光手段におけるしきい値を、前記発光手段又は前記受光手段から近い位置にある前記接触点に対応する前記受光手段から順に段階的に低く又は高くするように制御することを特徴とする請求項１に記載の位置入力装置。
【請求項３】
接触物によっての入力位置を示す位置データを入力する位置入力方法であって、
導光板の一面側のタッチエリアへの接触部位への接触に応じて散乱光を発生させる、一座標を判別するために前記導光板の一座標方向又は前記導光板の前記タッチエリアとは反対の面側の前記タッチエリアに対応する領域全体に設けられた発光手段により、前記導光板内に光を入射する工程と、
他座標を判別するために、前記導光板の一辺に沿って設けられた受光手段により、前記接触物による前記タッチエリアへの接触による接触点の接触位置下での散乱光を受光する工程と、
制御手段により、前記発光手段を点灯走査又は非点灯走査させる工程とを有し、
前記制御手段により、前記受光手段によって前記散乱光が受光されたときの座標と、該受光手段の受光時に前記点灯走査又は非点灯走査させたときの前記発光手段の座標とから、前記接触物による前記タッチエリアへの入力位置が特定され、さらに前記一座標及び／又は前記他座標の同一座標上に前記接触物による複数の前記接触点がある場合であって、いずれかの前記接触点と前記発光手段又は前記受光手段との間に他の前記接触点があるとき、場合、前記点灯走査又は前記非点灯走査の方向に応じていずれかの接触点に対応する前記受光手段の前記散乱光を受光する際のしきい値を変更するように制御される
ことを特徴とする位置入力方法。
【請求項４】
入力位置を示す位置データを入力する位置入力方法をコンピュータに実行させるための位置入力プログラムであって、
導光板の一面側のタッチエリアへの接触部位への接触に応じて散乱光を発生させる、一座標を判別するために前記導光板の一座標方向又は前記導光板の前記タッチエリアとは反対の面側の前記タッチエリアに対応する領域全体に設けられた発光手段により、前記導光板内に光を入射する工程と、
他座標を判別するために、前記導光板の一辺に沿って設けられた受光手段により、前記接触物による前記タッチエリアへの接触による接触点の接触位置下での散乱光を受光する工程と、
制御手段により、前記発光手段を点灯走査又は非点灯走査させる工程とを有し、
前記制御手段により、前記受光手段によって前記散乱光が受光されたときの座標と、該受光手段の受光時に前記点灯走査又は非点灯走査させたときの前記発光手段の座標とから、前記接触物による前記タッチエリアへの入力位置が特定され、さらに前記一座標及び／又は前記他座標の同一座標上に前記接触物による複数の前記接触点がある場合であって、いずれかの前記接触点と前記発光手段又は前記受光手段との間に他の前記接触点があるとき、前記点灯走査又は前記非点灯走査の方向に応じていずれかの接触点に対応する前記受光手段の前記散乱光を受光する際のしきい値を変更するように制御される
ことを特徴とする位置入力プログラム。
【発明の詳細な説明】
【技術分野】
【０００１】
本発明は、座標位置を示す位置データを入力する位置入力装置、位置入力方法及び位置入力プログラムに関する。
【背景技術】
【０００２】
位置入力装置として、指や専用のペン等で画面に触れることにより、パソコン、ＡＴＭ（Ａｕｔｏｍａｔｉｃ  Ｔｅｌｌｅｒ  Ｍａｃｈｉｎｅ）、ＰＤＡ（Ｐｅｒｓｏｎａｌ  Ｄｉｇｉｔａｌ  Ａｓｓｉｓｔａｎｔ）、ゲーム機等の操作を行うことができるタッチパネルと呼ばれるものが知られている。このタッチパネルは、指や専用のペン等が触れた位置を検知してパネル面上の位置（縦方向座標位置と横方向座標位置）を特定し、その特定した位置を入力信号（位置データ）として上述の各種機器に与えるものである。また、パネル面への接触の感知には、圧力の変化を感知する感圧式、静電気による電気信号を感知する静電式、発光素子と受光素子とを組み合わせた光学式等がある。
【０００３】
ここで、光学式によるものとして、特許文献１では、たとえば図１０に示すように、表示面３０の各辺に、複数の発光素子３１，３２と複数の受光素子３３，３４とを対向させて設け、順次発光を行う発光素子３１，３２から出射され、対向する受光素子３３，３４に入射される光の遮断状態を検出することにより、表示面３０への入力位置を認識する際、隣接する発光素子３１，３２は連続して発光させないようにしたタッチパネルを提案している。
【０００４】
【特許文献１】特開平０７−２０９８５号公報
【発明の開示】
【発明が解決しようとする課題】
【０００５】
上述した特許文献１に示されている光学式のタッチパネルでは、受光素子３３，３４が対向する発光素子３１，３２から放射された光を受光する際、その発光素子３１，３２に隣接する発光素子３１，３２から出射された光を受光しないことから、光学的ノイズが多い場所でタッチパネルを使用したり、操作者が正確にタッチ入力しなくても、誤動作することなく、タッチ入力が確実に検出できるようになっている。
【０００６】
ところで、このようなタッチパネルでは、それぞれ対向関係にある発光素子３１，３２と受光素子３３，３４とを結ぶ同一線上に複数の接触物がある場合、あるいはその同一線上でそれぞれの接触物の一部が重なっている場合、複数の接触物による多点同時入力を行うことができない場合があるという問題がある。
【０００７】
すなわち、図１０において、たとえばＡ点とＤ点、Ｂ点とＣ点のように、発光素子３１，３２と受光素子３３，３４とを結ぶ同一線上でない個所にそれぞれ２個所に指等の接触物がある場合、それぞれ２個所の接触物に発光素子３１，３２からの光が届くため、それぞれの接触物の入力位置の特定を行うことができる。
【０００８】
ところが、Ａ点とＢ点、Ａ点とＣ点、Ｂ点とＤ点のように、発光素子３１，３２と受光素子３３，３４とを結ぶ同一線上のそれぞれ２個所に指等の接触物がある場合、受光素子３３，３４への光が遮られることで判別される座標はそれぞれ１つの一座標（たとえばＸ座標）及び他座標（たとえばＹ座標）となり、それぞれの入力位置の特定を行うことができないことになる。
【０００９】
しかも、たとえばＡ点、Ｂ点、Ｄ点のように３個所に指等の接触物がある場合を見ると、Ｂ点には発光素子３１，３２のいずれかからも光が届かないため、Ｂ点での接触物の入力位置の特定を行うことができないことになる。
【００１０】
このような問題を解消するためには、たとえば図１１に示すように、導光板４０のたとえばＸ座標方向に複数の発光素子４１を並設し、これらの発光素子４１をたとえば点灯走査（部分的な点灯）させて光を導光板４０内に入射し、そのタッチエリア４０ａへの指先５０等の接触位置下で生じる散乱光が導光板４０のたとえばＹ座標方向に沿って設けられた複数の受光素子４２により受光されるようにすることが考えられる。
【００１１】
このようにすると、たとえば同じＹ座標位置において、Ａ点とＢ点、又はＣ点とＤ点とに同時に指先５０等が接触された場合でも、発光素子４１の順次点灯（点灯走査）に応じ、受光素子４１ａが点灯したときと、受光素子４１ｂが点灯したときに、受光素子４２によって受光が順次行われることで、それぞれの接触点である入力位置（Ａ点とＢ点、又はＣ点とＤ点）が特定されるものと考えられる。
【００１２】
また、たとえば同じＸ座標位置において、Ａ点とＣ点、又はＢ点とＤ点とに同時に指先５０等が接触された場合でも、発光素子４１の順次点灯（点灯走査）に応じ、受光素子４２によって受光が順次行われることで、それぞれの接触点である入力位置（Ａ点とＣ点、又はＢ点とＤ点）が特定されるものと考えられる。
【００１３】
当然に、Ａ点〜Ｄ点に同時に指先５０等が接触された場合でも、発光素子４１の順次点灯（点灯走査）に応じ、受光素子４２によって受光が順次行われることで、それぞれの接触点である入力位置（Ａ点〜Ｄ点）が特定されるものと考えられる。
【００１４】
ところで、このような導光板４０を用いる方法では、たとえば同じＹ座標位置において、Ａ点とＢ点、又はＣ点とＤ点とに同時に指先５０等が接触されているときに発光素子４１ａが点灯したとすると、Ａ点又はＣ点の接触位置下での散乱光が受光素子４２ａ又は４２ｂによって受光されることになる。
【００１５】
この場合、Ａ点又はＣ点の接触位置下での受光素子４２ａ又は４２ｂ側に向かう散乱光は、タッチエリア４０ａとその反対側の面で反射を繰り返しながら受光素子４２ａ又は４２ｂ側に進行するとき、受光素子４２ａ又は４２ｂ側に近い位置のＢ点又はＤ点の指先５０等の接触位置下で拡散してしまい、受光素子４２ａ又は４２ｂによる散乱光の受光量が低下してＡ点又はＣ点の位置検出精度の低下をもたらすおそれがある。
【００１６】
このようなことは、同じＸ座標位置に複数の指先５０等が接触されている場合でも、同様に受光素子４２による散乱光の受光量が低下して位置検出精度の低下をもたらすおそれがある。すなわち、同じＸ座標位置において、たとえばＡ点とＣ点とに同時に指先５０等が接触されているときに発光素子４１ａが点灯したとすると、まず発光素子４１ａに近いＣ点の接触位置下での散乱光が受光素子４２ｂによって受光されることになる。
【００１７】
このとき、発光素子４１ａからの光がＣ点の接触位置下で拡散してしまい、発光素子４１ａから遠い位置にあるＡ点の接触位置下での散乱光の光量が低下し、受光素子４２ａによって受光される散乱光の受光量が低下してしまうことになる。
【００１８】
このようなことから、多点同時入力を可能とする導光板４０を用いた場合であって、同じ座標位置に複数の接触点があっても、それぞれの接触点の入力位置を精度良く検出することができる装置の開発が望まれていた。
【００１９】
本発明は、このような状況に鑑みてなされたものであり、多点同時入力を可能とする導光板を用いた場合であって、同じ座標位置に複数の接触点があっても、それぞれの接触点の入力位置を精度良く検出することができる位置入力装置、位置入力方法及び位置入力プログラムを提供することを目的とする。
【課題を解決するための手段】
【００２０】
本発明の位置入力装置は、接触物によっての入力位置を示す位置データを入力する位置入力装置であって、一面側にタッチエリアを有し、該タッチエリアへの接触に応じて散乱光を発生させる導光板と、一座標を判別するために、前記導光板の一座標方向又は前記導光板の前記タッチエリアとは反対の面側の前記タッチエリアに対応する領域全体に設けられ、該導光板内に光を入射する発光手段と、他座標を判別するために、前記導光板の一辺に沿って設けられ、前記接触物による前記タッチエリアへの接触による接触点の接触位置下での散乱光を受光する受光手段と、前記発光手段を部分的に点灯させる点灯走査又は部分的に非点灯させる非点灯走査を行う制御手段とを備え、前記制御手段は、前記受光手段によって前記散乱光が受光されたときの座標と、該受光手段の受光時に前記点灯走査又は非点灯走査させたときの前記発光手段の座標とから、前記接触物による前記タッチエリアへの入力位置を特定し、さらに前記一座標及び／又は前記他座標の同一座標上に前記接触物による複数の前記接触点がある場合であって、いずれかの前記接触点と前記発光手段又は前記受光手段との間に他の前記接触点があるとき、前記点灯走査又は前記非点灯走査の方向に応じていずれかの接触点に対応する前記受光手段の前記散乱光を受光する際のしきい値を変更するように制御することを特徴とする。
【００２１】
また、前記制御手段は、前記いずれかの接触点に対応する前記受光手段におけるしきい値を、前記発光手段又は前記受光手段から近い位置にある前記接触点に対応する前記受光手段から順に段階的に低く又は高くするように制御するようにしてもよい。
【００２２】
本発明の位置入力方法は、接触物によっての入力位置を示す位置データを入力する位置入力方法であって、導光板の一面側のタッチエリアへの接触部位への接触に応じて散乱光を発生させる、一座標を判別するために前記導光板の一座標方向又は前記導光板の前記タッチエリアとは反対の面側の前記タッチエリアに対応する領域全体に設けられた発光手段により、前記導光板内に光を入射する工程と、他座標を判別するために、前記導光板の一辺に沿って設けられた受光手段により、前記接触物による前記タッチエリアへの接触による接触点の接触位置下での散乱光を受光する工程と、制御手段により、前記発光手段を点灯走査又は非点灯走査させる工程とを有し、前記制御手段により、前記受光手段によって前記散乱光が受光されたときの座標と、該受光手段の受光時に前記点灯走査又は非点灯走査させたときの前記発光手段の座標とから、前記接触物による前記タッチエリアへの入力位置が特定され、さらに前記一座標及び／又は前記他座標の同一座標上に前記接触物による複数の前記接触点がある場合であって、いずれかの前記接触点と前記発光手段又は前記受光手段との間に他の前記接触点があるとき、場合、前記点灯走査又は前記非点灯走査の方向に応じていずれかの接触点に対応する前記受光手段の前記散乱光を受光する際のしきい値を変更するように制御されることを特徴とする。
【００２３】
本発明の位置入力プログラムは、入力位置を示す位置データを入力する位置入力方法をコンピュータに実行させるための位置入力プログラムであって、導光板の一面側のタッチエリアへの接触部位への接触に応じて散乱光を発生させる、一座標を判別するために前記導光板の一座標方向又は前記導光板の前記タッチエリアとは反対の面側の前記タッチエリアに対応する領域全体に設けられた発光手段により、前記導光板内に光を入射する工程と、他座標を判別するために、前記導光板の一辺に沿って設けられた受光手段により、前記接触物による前記タッチエリアへの接触による接触点の接触位置下での散乱光を受光する工程と、制御手段により、前記発光手段を点灯走査又は非点灯走査させる工程とを有し、前記制御手段により、前記受光手段によって前記散乱光が受光されたときの座標と、該受光手段の受光時に前記点灯走査又は非点灯走査させたときの前記発光手段の座標とから、前記接触物による前記タッチエリアへの入力位置が特定され、さらに前記一座標及び／又は前記他座標の同一座標上に前記接触物による複数の前記接触点がある場合であって、いずれかの前記接触点と前記発光手段又は前記受光手段との間に他の前記接触点があるとき、前記点灯走査又は前記非点灯走査の方向に応じていずれかの接触点に対応する前記受光手段の前記散乱光を受光する際のしきい値を変更するように制御されることを特徴とする。
【００２４】
本発明の位置入力装置、位置入力方法及び位置入力プログラムでは、制御手段によるたとえば点灯走査の制御により、導光板の一座標方向又は導光板の一面側のタッチエリアとは反対の面側のタッチエリアに対応する領域全体に設けられた発光手段からの光が導光板内に入射され、導光板の一辺に沿って設けられた受光手段により、接触物によるタッチエリアへの接触による接触点の接触位置下での散乱光が受光されると、制御手段により、受光手段によって散乱光が受光されたときの座標と、その受光手段の受光時にたとえば点灯走査させた発光手段の座標とから、接触物によるタッチエリアへの入力位置が特定され、さらに一座標及び／又は他座標の同一座標上に接触物による複数の接触点があるとき、いずれかの接触点と発光手段又は受光手段との間に他の接触点がある場合、発光手段の点灯走査又は非点灯走査の方向に応じていずれかの接触点に対応する受光手段の散乱光を受光する際のしきい値が変更される。
【００２５】
この場合、いずれかの接触点と発光手段又は受光手段との間に他の接触点があるとき、そのいずれかの接触点に対応する受光手段の散乱光を受光する際のしきい値がたとえば低くなるように制御されたとすると、いずれかの接触点と発光手段又は受光手段との間に他の接触点が存在していて、発光手段からの光がその他の接触点によって拡散されたり、いずれかの接触点の接触位置下で発生した散乱光がその他の接触点によって拡散されたりしてしまい、受光手段による散乱光の受光量が低下しても、その受光手段の受光感度がしきい値のたとえば下げに伴って上げられるため、いずれかの接触点の接触位置下で発生した散乱光の受光が確実に行われる。
【発明の効果】
【００２６】
本発明の位置入力装置、位置入力方法及び位置入力プログラムによれば、制御手段により、受光手段によって散乱光が受光されたときの座標と、その受光手段の受光時にたとえば点灯走査させた発光手段の座標とから、接触物によるタッチエリアへの入力位置が特定され、さらに一座標及び／又は他座標の同一座標上に接触物による複数の接触点があるとき、いずれかの接触点と発光手段又は受光手段との間に他の接触点がある場合はそのいずれかの接触点に対応する受光手段の散乱光を受光する際のしきい値がたとえば低くなるように変更されるようにしたので、いずれかの接触点と発光手段又は受光手段との間に他の接触点が存在していて、発光手段からの光がその他の接触点によって拡散されたり、いずれかの接触点の接触位置下で発生した散乱光がその他の接触点によって拡散されたりしてしまい、受光手段による散乱光の受光量が低下しても、その受光手段の受光感度がしきい値のたとえば下げに伴って上げられることにより、いずれかの接触点の接触位置下で発生した散乱光の受光が確実に行われることから、多点同時入力を可能とする導光板を用いた場合であって、同じ座標位置に複数の接触点があっても、それぞれの接触点の入力位置を精度良く検出することができる。
【発明を実施するための最良の形態】
【００２７】
本実施形態では、制御手段により、受光手段によって散乱光が受光されたときの座標と、その受光手段の受光時にたとえば点灯走査させた発光手段の座標とから、接触物によるタッチエリアへの入力位置が特定され、さらに一座標及び／又は他座標の同一座標上に接触物による複数の接触点があるとき、いずれかの接触点と発光手段又は受光手段との間に他の接触点がある場合はそのいずれかの接触点に対応する受光手段の散乱光を受光する際のしきい値がたとえば低くなるように制御されるようにした。
【００２８】
この場合、いずれかの接触点と発光手段又は受光手段との間に他の接触点があるとき、そのいずれかの接触点に対応する受光手段の散乱光を受光する際のしきい値がたとえば低くなるように制御されたとすると、いずれかの接触点と発光手段又は受光手段との間に他の接触点が存在していて、発光手段からの光がその他の接触点によって拡散されたり、いずれかの接触点の接触位置下で発生した散乱光がその他の接触点によって拡散されたりしてしまい、受光手段による散乱光の受光量が低下しても、その受光手段の受光感度がしきい値のたとえば下げに伴って上げられるため、いずれかの接触点の接触位置下で発生した散乱光の受光が確実に行われることから、多点同時入力を可能とする導光板を用いた場合であって、同じ座標位置に複数の接触点があっても、それぞれの接触点の入力位置が精度良く検出されることになる。
【００２９】
また、制御手段により、いずれかの接触点に対応する受光手段におけるしきい値が、発光手段又は受光手段から近い位置にある接触点に対応する受光手段から順に段階的にたとえば低くするように制御されることで、いずれかの接触点と発光手段又は受光手段との間に他の接触点が多く存在していて、発光手段からの光がその他の接触点によって拡散されたり、いずれかの接触点の接触位置下で発生した散乱光がその他の接触点によって拡散されたりしてしまうことにより、受光手段による散乱光の受光量が段階的に低下してしまうことに合わせ、受光手段の受光感度が段階的に上げられる。
【実施例】
【００３０】
以下、本発明の実施例の詳細について説明する。図１は本発明の位置入力装置の一実施例を示す図であり、図２は図１の導光板のタッチエリアのたとえば同じＹ座標位置に複数の接触点がある場合の入力位置の特定について説明するための図であり、図３は図１の導光板のタッチエリアのたとえば同じＸ座標位置に複数の接触点がある場合の入力位置の特定について説明するための図である。
【００３１】
まず、図１に示すように、位置入力装置１は、導光板２と、複数の発光素子３と、複数の受光素子４と、入力位置検出部５とを備えている。
【００３２】
導光板２は、複数の発光素子３からの光を導くものであり、その表面がタッチエリア２ａとなっている。また、導光板２は、タッチエリア２ａに指先１０等が接触すると、その接触位置下を進行する光を散乱させる。ここで、タッチエリア２ａに指先１０等が接触して生じる散乱は、そのタッチエリア２ａでの指先１０等の接触点における境界面での屈折率が変化することによって生じるものである。また、その散乱による散乱光は、複数の受光素子４のいずれかで受光されるが、その詳細については後述する。
【００３３】
複数の発光素子３は、一座標方向の座標位置であるたとえばＸ座標位置を判別するために設けられているものである。また、複数の発光素子３は、導光板２内に光を入射できるように、導光板２の１辺側の側端面（図１では下辺側の側端面）に並設されている。そして、それぞれの発光素子３からの光が１辺側の側端面から導光板２内に入射されると、その光が導光板２内をその入射方向に沿って、タッチエリア２ａとその反対側の面で反射を繰り返しながら進行し、タッチエリア２ａに指先１０等が接触されると、その接触位置下で散乱する。
【００３４】
複数の受光素子４は、他座標方向の座標位置であるたとえばＹ座標位置を判別するために設けられているものである。また、複数の受光素子４は、導光板２内からの光（散乱光）を受光できるように、導光板２の他辺側の側端面（図１では右辺側の側端面）に並設されている。
【００３５】
ここで、複数の受光素子４が並設される他辺側は、複数の発光素子３が併設されている１辺側とは対向しない辺側である。これにより、それぞれの受光素子４は、タッチエリア２ａでの指先１０等の接触位置下で発生する散乱光のうち、発光素子３からの光の進行方向に対してほぼ直交する方向に進む散乱光を受光することになる。
【００３６】
なお、上述の発光素子３としては、たとえば赤外線波長（ピーク発光波長）が８７０ｎｍで、半値角が±５°の赤外線ＬＥＤを用いることができる。また、上述の受光素子４としては、たとえば赤外線ピーク感度波長が８７０ｎｍで、半値角が±１５°のフォトトランジスタを用いることができる。また、導光板２としては、たとえばアクリル板（屈折率約１．４９；全反射角（臨界角）４２．２°）等を用いることができる。この場合、発光素子３の後述の入射角θを臨界角４２．２°に近い値に設定することができる。また、アクリル板の厚さは、良好な入力位置感度が得られる例として２ｍｍに設定することができる。
【００３７】
発光素子駆動部５ａは、制御部５ｅの制御により、発光素子３をたとえば順次点灯（点灯走査）させる。ここで、発光素子３の順次点灯（点灯走査）に際しては、図中右端の発光素子３から順に、又は図中左端の発光素子３から順に行わせることができる。また、発光素子３の順次点灯（点灯走査）に際しては、複数の発光素子３をランダムに点灯させるようにしてもよい。また、発光素子３を順次点灯（点灯走査）させるタイミングは、たとえば全ての発光素子３を点灯させておいて、受光素子４のいずれかによって受光があった場合とすることができる。
【００３８】
ここで、たとえば発光素子３を順次点灯（点灯走査）させるとき、全ての発光素子３を一旦消灯させてから、発光素子３を順次点灯（点灯走査）させるようにする。これにより、いずれかの発光素子３の点灯時にいずれかの受光素子４によっての受光があれば、その発光素子３によるＸ座標位置とその受光素子４によるＹ座標位置とが判別され、これらの座標位置から指先１０等が接触したタッチエリア２ａにおける単一の接触点である単一の入力位置（Ａ点又はＢ点）等が特定されることになる。
【００３９】
また、発光素子３の順次点灯（点灯走査）によって複数の受光素子４による受光があれば、それぞれの発光素子３による複数のＸ座標位置とそれぞれの受光素子４による複数のＹ座標位置とが判別され、タッチエリア２ａにおける複数の接触点である複数の入力位置（Ａ点及びＢ点）等が特定されることになる。これは、発光素子３の順次点灯（点灯走査）に応じ、受光素子４によって受光が順次行われることで、それぞれの接触点の入力位置が特定されることによるためである。
【００４０】
また、たとえば同じＹ座標位置において、Ｂ点とＣ点とに同時に指先１０等が接触された場合でも、発光素子３の順次点灯（点灯走査）に応じ、受光素子４によって受光が順次行われることで、それぞれの入力位置（Ｂ点及びＣ点）が特定されることになる。
【００４１】
また、たとえば同じＸ座標位置において、Ａ点とＣ点とに同時に指先１０等が接触された場合でも、それぞれの接触位置下で散乱光が生じるため、それぞれの入力位置（Ａ点及びＣ点）が特定されることになる。このようなことから、タッチエリア２ａのいずれの位置に複数の接触点があっても、それぞれの接触位置下で散乱光が生じるため、多点同時入力が可能となる。
【００４２】
なお、発光素子３の走査にあっては順次点灯（点灯走査）に限らず、図中右端の発光素子３から順に、又は図中左端の発光素子３から順に順次消灯（消灯走査）させることでも、上記同様に、単一又は複数のＸ座標位置と単一又は複数のＹ座標位置とを判別してタッチエリア２ａにおける単一の入力位置（Ａ点、Ｂ点又はＣ点）又は複数の入力位置（Ａ点、Ｂ点及びＣ点）を特定することが可能である。
【００４３】
すなわち、このような順次消灯（消灯走査）にあっては、全ての発光素子３が一旦点灯しているため、いずれかの受光素子４によって上述した散乱光の受光が行われているとすると、いずれかの発光素子３が消灯されたときに、散乱光を受光中のいずれかの受光素子４の受光量が低下すれば、その受光量が低下したときの発光素子３と受光素子４とから単一又は複数のＸ座標位置と単一又は複数のＹ座標位置とを判別することができるためである。
【００４４】
受光素子駆動部５ｂは、制御部５ｅの制御により、全ての受光素子４による受光動作を行わせる。このとき、受光素子駆動部５ｂは、制御部５ｅの制御により、Ｘ座標位置及び／又はＹ座標位置の同一座標上に指先１０等の複数の接触点による多点同時入力があるとき、発光素子３又は受光素子４から遠い位置にある接触点に対応する受光素子４の散乱光を受光する際のしきい値を、発光素子３又は受光素子４から近い位置にある接触点に対応する受光素子４におけるしきい値より低くし、発光素子３又は受光素子４から遠い位置にある接触点に対応する受光素子４における受光感度を上げるように駆動する。
【００４５】
この場合、それぞれの接触点に対応する受光素子４におけるしきい値を、発光素子３又は受光素子４から近い位置にある接触点に対応する受光素子４から段階的に低くすることができる。
【００４６】
これにより、Ｘ座標位置及び／又はＹ座標位置の同一座標上において、任意の接触点と発光素子３又は受光素子４との間に他の接触点が存在し、その他の接触点によって発光素子３からの光が拡散されたり、任意の接触点の接触位置下での散乱光がその他の接触点によって拡散されたりしてしまうことによる受光素子４による散乱光の受光量の低下に伴った位置検出精度の低下が解消されるようになっている。
【００４７】
すなわち、図２に示すように、たとえば同じＹ座標位置において、Ａ点、Ｂ点、Ｃ点に同時に指先１０等が接触されているときに発光素子３がたとえば右端から順次点灯（点灯走査）されたとすると、まず発光素子３ａの順次点灯（点灯走査）によりＣ点の接触位置下での散乱光が受光素子４ａによって受光されることになる。このとき、Ｃ点と受光素子４ａとの間に他の接触点が無いため、Ｃ点の接触位置下での散乱光が他の接触点にて拡散されずに受光素子４ａにより受光されるため、受光素子４ａによる受光量の低下が生じない。
【００４８】
これに対し、発光素子３ｂの順次点灯（点灯走査）によりＢ点の接触位置下での散乱光が受光素子４ａによって受光されるとき、Ｂ点と受光素子４ａとの間にＣ点の接触点があるため、Ｂ点の接触位置下での散乱光がＣ点の接触点にて拡散されて受光素子４ａにより受光されることにより、受光素子４ａによる受光量の低下が生じることになる。この場合、受光素子４ａでの散乱光を受光する際のしきい値がＣ点からの散乱光を受光するときのしきい値より下げられることで、その受光素子４の受光感度を上げられる。
【００４９】
また、発光素子３ｃの順次点灯（点灯走査）によりＡ点の接触位置下での散乱光が受光素子４ａによって受光されるとき、Ａ点と受光素子４ａとの間にＢ点及びＣ点の接触点があるため、Ａ点の接触位置下での散乱光がＢ点及びＣ点の各接触点にて拡散されて受光素子４ａにより受光されることになり、受光素子４ａによる受光量がさらに低下してしまうことになる。この場合、受光素子４ａでの散乱光を受光する際のしきい値がＢ点からの散乱光を受光するときのしきい値より下げられることで、その受光素子４の受光感度がさらに上げられる。
【００５０】
また、図３に示すように、たとえば同じＸ座標位置において、Ａ点、Ｂ点、Ｃ点に同時に指先１０等が接触されているときに発光素子３がたとえば右端から順次点灯（点灯走査）されたとすると、発光素子３ｃの順次点灯（点灯走査）が行われたとき、Ａ点、Ｂ点、Ｃ点のそれぞれの接触位置下での散乱光がそれぞれの接触点に対応する受光素子４ａ，４ｂ，４ｃによって受光されることになる。
【００５１】
このとき、Ｃ点と発光素子３ｃとの間に他の接触点が無いため、Ｃ点の接触位置下での散乱光がそのＣ点に対応する受光素子４ｃによって光量の低下を生じることなく受光される。
【００５２】
これに対し、Ｂ点では、Ｃ点の接触位置下で拡散した発光素子４１ａからの光で散乱光が生じるため、そのＢ点に対応する受光素子４ｂによる受光量の低下が生じることになる。この場合、受光素子４ｂでの散乱光を受光する際のしきい値がＣ点に対応する受光素子４ｃでの散乱光を受光するときのしきい値より下げられることで、その受光素子４ｂの受光感度を上げられる。
【００５３】
また、Ａ点では、Ｃ点及びＢ点での接触位置下で拡散した発光素子４１ａからの光で散乱光が生じるため、そのＡ点に対応する受光素子４ａによる受光量がさらに低下してしまうことになる。この場合、受光素子４ａでの散乱光を受光する際のしきい値がＢ点に対応する受光素子４ｂでの散乱光を受光するときのしきい値より下げられることで、その受光素子４ａの受光感度が上げられる。
【００５４】
受光量計測部５ｃは、制御部５ｅの制御により、上述の散乱光を受光した受光素子４における受光量を計測する。
【００５５】
入力位置データ出力部５ｄは、制御部５ｅの制御により、順次点灯（点灯走査）又は順次消灯（消灯走査）によって判別される単一又は複数のＸ座標位置と単一又は複数のＹ座標位置とに基づいて特定されたタッチエリア２ａにおける入力位置を示すデータを出力する。なお、タッチエリア２ａにおける入力位置が複数である場合は、それぞれの入力位置を示すデータが出力されることになる。
【００５６】
制御部５ｅは、タッチエリア２ａにおける入力位置の特定の判定を行うために、上述した発光素子駆動部５ａ、受光素子駆動部５ｂ及び受光量計測部５ｃを駆動させるとともに、その特定及び判定した単一又は複数の入力位置を示すデータを入力位置データ出力部５ｄから出力させる。
【００５７】
また、制御部５ｅは、多点同時入力があるとき、受光素子駆動部５ｂに対し、発光素子３又は受光素子４から遠い位置にある接触点に対応する受光素子４の散乱光を受光する際のしきい値を段階的に下げて、その受光素子４の受光感度を上げるように駆動させる。
【００５８】
なお、上述したそれぞれの発光素子３及び受光素子４にあっては、Ｘ座標位置及びＹ座標位置を判別する必要性から、指向性があることが望ましい。また、それぞれの発光素子３及び受光素子４の数にあっては、位置入力装置１の用途に応じて適宜決定すればよく、それぞれの数を増やすことで、タッチエリア２ａにおける入力位置の判定を行う際の分解能を高めることが可能となる。
【００５９】
また、複数の発光素子３にあっては、１つの光源をシャッター機構等によって走査できるような構成としてもよい。また、複数の受光素子４にあっては、一つのラインセンサやイメージセンサで置き換え、受光状況の解析結果からＹ座標位置の識別の判定ができるようにしてもよい。
【００６０】
次に、図４を参照し、位置入力装置１の導光板２の基本原理について説明する。まず、図４（ａ）に示すように、導光板２の側端部２ｂを入射面として発光素子３を配置すると、発光素子３から出射された赤外線光（図では入射角θの場合で示している）は、導光板２内に入射されて全反射を繰り返しながら導光板２内を直進する。
【００６１】
導光板２は、入射される赤外線光の波長に比べて十分に大きい厚さを有するものであり、図４（ａ）のように、タッチエリア２ａにたとえば指先１０等が接触していないとき、入射された赤外線光は幅方向に散乱することなく直線的に進行する。
【００６２】
これに対し、図４（ｂ）に示すように、導光板２のタッチエリア２ａにたとえば指先１０等が接触すると、その接触点下の導光板２の相対屈折率が変化し、入射された赤外線光がその接触点下で散乱を起こす。そして、導光板２に入射された赤外線光の進行方向に対し、直交方向（図１参照）に進んだ散乱光は受光素子４によって受光される。
【００６３】
ここで、タッチエリア２ａでの入力位置の特定を行う際の感度を上げるためには、指先１０等の接触によって確実に散乱光が生じるようにする必要があり、全反射の繰り返し回数が多い方がよい。そのためには、導光板２をある程度板厚を薄くする（２〜５ｍｍ程度）ことが好ましい。
【００６４】
また、発光素子３からの赤外線光を導光板２の側端部２ｂから導光板２内に入射させるには、導光板２の屈折率や周囲の屈折率等によって決められるスネルの法則に従い、入射角θに向けた光の入射が必要となる。そこで、導光板２内に赤外線光を損失無く入射させるためには、図４（ｃ）に示すように、側端部２ｂの端面に対して入射角θだけ光出射方向を傾けて発光素子３を配置することが好ましい。
【００６５】
この場合、図４（ｄ）に示すように、導光板２の側端部２ｂを、上記の入射角θに応じた傾斜面とすれば、発光素子３の光出射方向と側端部２ｂとの位置合わせを容易に行うことができるばかりか、導光板２内に赤外線光を損失無く入射させることが可能となる。また、タッチエリア２ａ内での接触点での感度を向上させるために、図４（ｅ）に示すように、光出射方向の角度を変えた複数の発光素子３からの赤外線光を導光板２内に入射するようにしてもよい。
【００６６】
次に、図５のフローチャートを参照し、１個の受光素子４上、すなわち同じＹ座標位置に複数の接触点が存在する場合の入力位置の特定について説明する。ここでは、図２で説明したように、たとえば同じＹ座標位置において、Ａ点、Ｂ点、Ｃ点に同時に指先１０等が接触されているものとする。
【００６７】
まず、タッチエリア２ａでの接触点の入力位置を特定するとき、発光素子３による順次点灯（点灯走査）が行われる。このとき、たとえば右端の発光素子３から順に順次点灯（点灯走査）が行われるものとすると、その右端の発光素子３がＯＮされ（ステップＳ１）、全ての受光素子４によって受光される散乱光が測定されて（ステップＳ２）、ＯＮしている発光素子３がＯＦＦされる（ステップＳ３）。
【００６８】
ここで、接触点の有無を判別するが（ステップＳ４）、全ての受光素子４によって受光が無ければ、接触点が無いと判断され（ステップＳ４：ＮＯ）、全ての発光素子３による順次点灯（点灯走査）の処理が行われたかどうかが判断される（ステップＳ６）。
【００６９】
ここでは、全ての発光素子３による順次点灯（点灯走査）の処理が行われていないため（ステップＳ６：ＮＯ）、ステップＳ１に戻り、次の発光素子３がＯＮされて上記同様に、全ての受光素子４により受光される散乱光が測定され、ＯＮしている発光素子３がＯＦＦされる（ステップＳ２，Ｓ３）。
【００７０】
そして、たとえば図２の発光素子３ａの順次点灯（点灯走査）の処理が行われているときに接触点があると判断されると（ステップＳ４：ＹＥＳ→たとえば図２のＣ点があると判断される）、その接触点があった受光素子４（たとえば図２の受光素子４ａ）の散乱光を受光する際のしきい値が一段下げられる（ステップＳ５）。これにより、その受光素子４（たとえば図２の受光素子４ａ）の受光感度が一段上げられる。
【００７１】
次に、全ての発光素子３による順次点灯（点灯走査）の処理が行われたかどうかが判断される（ステップＳ６）。ここでは、全ての発光素子３による順次点灯（点灯走査）の処理が行われていないため（ステップＳ６：ＮＯ）、ステップＳ１に戻り、次の発光素子３がＯＮされて上記同様に、全ての受光素子４により受光される散乱光が測定され、ＯＮしている発光素子３がＯＦＦされる（ステップＳ２，Ｓ３）。
【００７２】
ここで、たとえば図２の発光素子３ｂの順次点灯（点灯走査）の処理が行われると、接触点があると判断される（ステップＳ４：ＹＥＳ→たとえば図２のＢ点があると判断される）。このとき、Ｂ点の接触位置下での散乱光が受光素子４ａによって受光される際、受光素子４ａの散乱光を受光する際のしきい値が一段下げられて、その受光素子４ａの受光感度が一段上げられているため、Ｂ点と受光素子４ａとの間のＣ点の接触点で、Ｂ点の接触位置下での散乱光が拡散されしまい、受光素子４ａによる受光量が低下しても、そのＢ点の接触位置下での散乱光が受光素子４ａにより確実に受光される。
【００７３】
そして、そのＢ点の接触点があると判断されると、その接触点があった受光素子４ａの散乱光を受光する際のしきい値がさらに一段下げられる（ステップＳ５）。これにより、その受光素子４ａの受光感度がさらに一段上げられる。
【００７４】
次に、全ての発光素子３による順次点灯（点灯走査）の処理が行われたかどうかが判断されるが（ステップＳ６）、ここでも全ての発光素子３による順次点灯（点灯走査）の処理が行われていないため（ステップＳ６：ＮＯ）、ステップＳ１に戻り、次の発光素子３がＯＮされて上記同様に、全ての受光素子４により受光される散乱光が測定され、ＯＮしている発光素子３がＯＦＦされる（ステップＳ２，Ｓ３）。
【００７５】
ここで、たとえば図２の発光素子３ｃの順次点灯（点灯走査）の処理が行われると、接触点があると判断される（ステップＳ４：ＹＥＳ→たとえば図２のＡ点があると判断される）。このとき、Ａ点の接触位置下での散乱光が受光素子４ａによって受光される際、受光素子４ａの散乱光を受光する際のしきい値がさらに一段下げられて、その受光素子４ａの受光感度がさらに一段上げられているため、Ａ点と受光素子４ａとの間のＢ点及びＣ点の接触点で、Ａ点の接触位置下での散乱光が拡散されしまい、受光素子４ａによる受光量が低下しても、そのＡ点の接触位置下での散乱光が受光素子４ａにより確実に受光される。
【００７６】
以上のようにして、全ての発光素子３による順次点灯（点灯走査）の処理が行われると（ステップＳ６：ＹＥＳ）、順次点灯（点灯走査）された発光素子３毎の受光データが解析され、タッチエリア２ａにおけるＸ座標位置とＹ座標位置とに基づくＡ点、Ｂ点、Ｃ点の入力位置が特定される。
【００７７】
次に、図６のフローチャートを参照し、１個の発光素子３上、すなわち同じＸ座標位置に複数の接触点が存在する場合の入力位置の特定について説明する。ここでは、図３で説明したように、たとえば同じＸ座標位置において、Ａ点、Ｂ点、Ｃ点に同時に指先１０等が接触されているものとする。
【００７８】
まず、タッチエリア２ａでの接触点の入力位置を特定するとき、発光素子３による順次点灯（点灯走査）が行われる。このとき、たとえば右端の発光素子３から順に順次点灯（点灯走査）が行われるものとすると、その右端の発光素子３がＯＮされ（ステップＳ１）、受光素子４によって受光される散乱光が測定され（ステップＳ２）、接触点の有無が判別される（ステップＳ３）。
【００７９】
ここで、受光素子４による受光処理の順序にあっては、発光素子３に近い側から発光素子３に遠い側に向けて順に行われるものとすると、図３において、まず下方の受光素子４での受光の有無が検出されることになる。
【００８０】
そして、下方の受光素子４によっての受光が無ければ、接触点が無いと判断され（ステップＳ３：ＮＯ）、全ての受光素子４による受光処理が終了していないため（ステップＳ５：ＮＯ）、ステップＳ２に戻り、次の受光素子４によって受光される散乱光が測定され、接触点の有無が判別される（ステップＳ３）。
【００８１】
このようにして、全ての受光素子４による受光処理が終了すると（ステップＳ５：ＹＥＳ）、ＯＮしている発光素子３がＯＦＦされる（ステップＳ６）。ここでは、全ての受光素子４による散乱光の受光の測定により接触点が無いと判断され（ステップＳ７：ＮＯ）、全ての発光素子３による順次点灯（点灯走査）が終了していないため（ステップＳ９：ＮＯ）、ステップＳ１に戻り、次の発光素子３の順次点灯（点灯走査）が行われる。
【００８２】
そして、たとえば図３において、発光素子３ｃによる順次点灯（点灯走査）が行われたとき、Ｃ点、Ｂ点、Ａ点のそれぞれの接触位置下で散乱光が発生することになる。ここで、ステップＳ２からの処理で、下方の受光素子４から順に受光の有無が検出され、図３の受光素子４ｃによって散乱光が受光されることにより、接触点があると判断される（ステップＳ３：ＹＥＳ→たとえば図３のＣ点があると判断される）。
【００８３】
このとき、その接触点があった受光素子４ｃ以外（受光素子４ｃに続いて受光処理が行われる残りの受光素子４）の受光素子４の散乱光を受光する際のしきい値が一段下げられる（ステップＳ４）。これにより、受光素子４ｃ以外（受光素子４ｃに続いて受光処理が行われる残りの受光素子４）の受光素子４の受光感度が一段上げられる。
【００８４】
ここでは、全ての受光素子４による受光処理が終了していないため（ステップＳ５：ＮＯ）、ステップＳ２に戻り、このステップＳ２からの処理が繰り返される。そして、図３の受光素子４ｂによって散乱光が受光されると、接触点があると判断される（ステップＳ３：ＹＥＳ→たとえば図３のＢ点があると判断される）。
【００８５】
このとき、Ｂ点の接触位置下での散乱光が受光素子４ｂによって受光される際、受光素子４ｂの散乱光を受光する際のしきい値が一段下げられて、その受光素子４ｂの受光感度が一段上げられているため、Ｂ点と発光素子３ｃとの間のＣ点の接触点で、発光素子３ｃからの光が拡散されしまい、Ｂ点の接触位置下での散乱光の量が少なくなって受光素子４ｂによる受光量が低下しても、そのＢ点の接触位置下での散乱光が受光素子４ｂにより確実に受光される。
【００８６】
ここで、Ｂ点の接触点が検出されると、その接触点があった受光素子４ｂ以外（受光素子４ｂに続いて受光処理が行われる残りの受光素子４）の受光素子４の散乱光を受光する際のしきい値がさらに一段下げられる（ステップＳ４）。これにより、受光素子４ｂ以外（受光素子４ｂに続いて受光処理が行われる残りの受光素子４）の受光素子４の受光感度がさらに一段上げられる。
【００８７】
ここでは、全ての受光素子４による受光処理が終了していないため（ステップＳ５：ＮＯ）、ステップＳ２に戻り、このステップＳ２からの処理が繰り返される。そして、図３の受光素子４ａによって散乱光が受光されると、接触点があると判断される（ステップＳ３：ＹＥＳ→たとえば図３のＡ点があると判断される）。
【００８８】
このとき、Ａ点の接触位置下での散乱光が受光素子４ａによって受光される際、受光素子４ａの散乱光を受光する際のしきい値がさらに一段下げられて、その受光素子４ａの受光感度がさらに一段上げられているため、Ａ点と発光素子３ｃとの間のＣ点及びＢ点の接触点で、発光素子３ｃからの光が拡散されしまい、Ａ点の接触位置下での散乱光の量がさらに少なくなって受光素子４ａによる受光量が低下しても、そのＡ点の接触位置下での散乱光が受光素子４ａにより確実に受光される。
【００８９】
このようにして、全ての受光素子４による受光処理が終了すると（ステップＳ５：ＹＥＳ）、ＯＮしている発光素子３がＯＦＦされる（ステップＳ６）。そして、全ての発光素子３による順次点灯（点灯走査）の処理が行われると（ステップＳ６：ＹＥＳ）、順次点灯（点灯走査）された発光素子３毎の受光データが解析され、タッチエリア２ａにおけるＸ座標位置とＹ座標位置とに基づくＡ点、Ｂ点、Ｃ点の入力位置が特定される。
【００９０】
このように、本実施例では、制御手段としての制御部５ｅにより、受光手段としての受光素子４によって散乱光が受光されたときの座標と、その受光素子４の受光時にたとえば点灯走査させた発光手段としての発光素子３の座標とから、接触物である指先１０等のによるタッチエリア２ａへの入力位置が特定され、さらに一座標及び／又は他座標の同一座標上に指先１０等による複数の接触点があるとき、いずれかの接触点と発光素子３又は受光素子４との間に他の接触点がある場合はそのいずれかの接触点に対応する受光素子４の散乱光を受光する際のしきい値が低くなるように制御されるようにした。
【００９１】
これにより、いずれかの接触点と発光素子３又は受光素子４との間に他の接触点が存在していて、発光素子３からの光がその他の接触点によって拡散されたり、いずれかの接触点の接触位置下で発生した散乱光がその他の接触点によって拡散されたりしてしまい、受光素子４による散乱光の受光量が低下しても、その受光素子４の受光感度が上げられていることにより、いずれかの接触点の接触位置下で発生した散乱光の受光が確実に行われることから、多点同時入力を可能とする導光板２を用いた場合であって、同じ座標位置に複数の接触点があっても、それぞれの接触点の入力位置を精度良く検出することができる。
【００９２】
また、制御部５ｅにより、いずれかの接触点に対応する受光素子４におけるしきい値が、発光素子３又は受光素子４から近い位置にある接触点に対応する受光素子４から順に段階的に低くするように制御されることで、いずれかの接触点と発光素子３又は受光素子４との間に他の接触点が多く存在していて、発光素子３からの光がその他の接触点によって拡散されたり、いずれかの接触点の接触位置下で発生した散乱光がその他の接触点によって拡散されたりしてしまうことにより、受光素子４による散乱光の受光量が段階的に低下してしまうことに合わせ、受光素子４の受光感度を段階的に上げることができる。
【００９３】
なお、本実施例では、複数の発光素子３を導光板２の一座標方向に沿って設け、導光板２のタッチエリア２ａでの指先１０等の接触物の接触による接触位置下からの散乱光を、導光板２の他辺側の側端面（図１では右辺側の側端面）に並設されている複数の受光素子４によって受光するようにした場合について説明したが、導光板２は透明な部材で構成することができるため、たとえば図７に示すように、その導光板２をたとえばタッチエリア２ａへの入力位置に応じた内容を表示するディスプレイ面６に重ねても、ディスプレイ面６での映像に影響を及ぼすことがなくなる。この場合、それぞれの発光素子３からの光が非可視光である赤外線光とされているため、ディスプレイ面６からの可視光に影響を及ぼすことがない。
【００９４】
また、本実施例では、複数の発光素子３を導光板２の一座標方向に沿って設けた場合で説明したが、この例に限らず、図８及び図９（ａ）に示すように、複数の発光素子３を導光板２の一面側のタッチエリア２ａとは反対の面側のタッチエリア２ａに対応する領域全体に設けるようにしてもよい。また、この場合、図９（ｂ）に示すように、それぞれの発光素子３を、透明ＥＬ等の面発光部材３Ａとしてもよい。
【００９５】
また、本実施例では、発光素子３からの光を赤外線光とした場合について説明したが、これに限らず紫外線光等のような他の光としてもよい。また、たとえば図６に示したディスプレイ面６を設ける必要が無い場合、あるいはディスプレイ面６での映像に影響を及ぼすことがない場合は、発光素子３からの光を可視光としてもよい。
【００９６】
また、本実施例では、たとえば図２で説明したように、同じＹ座標位置において、Ａ点、Ｂ点、Ｃ点に同時に指先１０等が接触されているときに、発光素子３をたとえば右端から順次点灯（点灯走査）させ、それぞれの接触点に対応する受光素子４におけるしきい値を、発光素子３又は受光素子４から近い位置にある接触点に対応する受光素子４から段階的に低くするようにした場合として説明したが、この例に限らず、それぞれの接触点に対応する受光素子４におけるしきい値を、発光素子３又は受光素子４から遠い位置にある接触点に対応する受光素子４から段階的に高にするようにしてもよい。
【００９７】
この場合、発光素子３をたとえば左端、すなわち、受光素子４から遠い側から順次点灯（点灯走査）させて受光素子４から一番遠い位置にある接触点を検出してゆき、これに併せて、次に順次検出される接触点に対応する受光素子４におけるしきい値が段階的に高くなるようにする。
【産業上の利用可能性】
【００９８】
ゲーム機、ＰＤＡ、携帯電話、ＡＴＭ、券売機等の入力装置、ＰＣ（パーソナルコンピュータ）等の情報処理装置、カーナビ等の地図表示装置等に適用可能である。
【図面の簡単な説明】
【００９９】
【図１】本発明の位置入力装置の一実施例を示す図である。
【図２】図１の導光板のタッチエリアのたとえば同じＹ座標位置に複数の接触点がある場合の入力位置の特定について説明するための図である。
【図３】図１の導光板のタッチエリアのたとえば同じＸ座標位置に複数の接触点がある場合の入力位置の特定について説明するための図である。
【図４】図１の位置入力装置の導光板の基本原理について説明するための図である。
【図５】図１の導光板のタッチエリアのたとえば同じＹ座標位置に複数の接触点がある場合の入力位置の特定について説明するためのフローチャートである。
【図６】図１の導光板のタッチエリアのたとえば同じＸ座標位置に複数の接触点がある場合の入力位置の特定について説明するためのフローチャートである。
【図７】図１の位置入力装置の導光板をディスプレイ面に重ねた場合の一例を示す図である。
【図８】図１の位置入力装置の構成を変えた場合の他の実施例を説明するための斜視図である。
【図９】図１の位置入力装置の構成を変えた場合の他の実施例を説明するための側面図である。
【図１０】従来の光学式によるタッチパネルを説明するための平面図である。
【図１１】図１０のタッチパネルの不具合の解消例を説明するための図である。
【符号の説明】
【０１００】
１  位置入力装置
２  導光板
２ａ  タッチエリア
２ｂ  側端部
３  発光素子
４  受光素子
５  入力位置検出部
５ａ  発光素子駆動部
５ｂ  受光素子駆動部
５ｃ  受光量計測部
５ｄ  入力位置データ出力部
５ｅ  制御部
６  ディスプレイ面
【図１】
2009271847.tif 000003
【図２】
2009271847.tif 000004
【図３】
2009271847.tif 000005
【図４】
2009271847.tif 000006
【図５】
2009271847.tif 000007
【図６】
2009271847.tif 000008
【図７】
2009271847.tif 000009
【図８】
2009271847.tif 000010
【図９】
2009271847.tif 000011
【図１０】
2009271847.tif 000012
【図１１】
2009271847.tif 000013